(57)【特許請求の範囲】
【請求項１】
二色性微粒を作成する装置であって、
回転するディスクと、
前記ディスクの第一の側に配置され、第一の二色性微粒材料を該ディスクの第一の側へ供給する第一の材料供給構造と、
前記ディスクの第二の側に配置され、第二の二色性微粒材料を該ディスクの第二の側へ第二の方向から供給する第二の材料供給構造と、
前記ディスクを回転するモータと、
第一のハウジングと、
第二のハウジングと、
前記ディスクと前記第一のハウジングによって規定される第一のスリットと、
前記ディスクと前記第二のハウジングによって規定される第二のスリットと、
前記ディスクの第一の側、前記第一のハウジング及び前記第一の材料供給構造によって規定され、前記第一の材料供給構造から前記第一のスリットへ供給される前記第一の二色性微粒材料を貯蔵する第一の貯蔵部と、
前記ディスクの第二の側、前記第二のハウジング及び前記第二の材料供給構造によって規定され、前記第二の材料供給構造から前記第二のスリットへ供給される前記第二の二色性微粒材料を貯蔵する第二の貯蔵部と、
を有し、
前記第一及び第二の貯蔵部の内面形態を、前記第一及び第二の材料供給構造から前記第一及び第二のスリットへ向けて狭くなるよう形成することを特徴とする二色性微粒作成装置。
【請求項２】
請求項１記載の二色性微粒作成装置において、
前記第一又は第二のスリットの少なくとも一方の大きさを調節する調節機構を有することを特徴とする二色性微粒作成装置。
【請求項３】
請求項１記載の二色性微粒作成装置において、
前記第一のスリット及び前記第二のスリットは、それぞれ調節可能に設けられ、
前記第一又は第二のスリットの少なくとも一方の大きさを調節する調節機構を有することを特徴とする二色性微粒作成装置。
【発明の詳細な説明】
【０００１】
【発明の属する技術分野】
本発明は、電気紙 (electric paper) 内で使用される二色性微粒（ボール）の作成に関する。
【０００２】
【従来の技術及び発明が解決しようとする課題】
異なった電気的及び／或いは磁気的性質を帯びた第一と第二の二色性微粒材料を組合わせて二色性微粒を形成することが出来る。図１は、第一色の二色性微粒材料１０と第二色性の二色性微粒材料２０を用いて形成される典型的な二色性微粒１００を示している。この典型的二色性微粒１００は、頂点から底部にかけて電気的或いは磁気的な双極子を有する。このようにして、図１に示す二色性微粒１００は、種々の磁場或いは電場にかけられた場合に回転する。この二色性微粒１００は、業界では既知の種々の混合物や材料を用いて生成することが出来る。
【０００３】
二色性微粒１００は、電気紙に使用することが出来る。電気紙内では多数の二色性微粒が生地内に互に相接して配置されてシートを形成する。二色性微粒は、回転して第一或いは第二の色のいずれかを示すことによって文字または画像を形成することが出来る。
【０００４】
図２に示すように、二色性微粒１００は、既知のスピナ１０００を用いて慣習的に形成される。スピナ１０００は、二色性微粒材料の送り込み部１２２０とスピニング部１１８０とを有する。二色性微粒材料は、材料供給管１１１０，１１４０を通じて一対の貯蔵部１１３０，１１７０に送り込まれる。二色性微粒１１９０は、スピニング部１１８０のディスク１２００から遠心力で振り出される。二色性微粒材料の送入部１２２０は、回転せず、材料供給管１１１０，１１４０と一個またはそれ以上のＯリング１２１０とを含む。Ｏリング１２１０は、材料供給管１１１０，１１４０の少なくとも一方の端を密封するために使用される。
【０００５】
スピニング部１１８０は、第一と第二の二色性微粒材料の輸送部１１２０，１１５０と、一対の二色性微粒材の貯蔵部１１３０，１１７０とを含む。二色性微粒の第一の色素材は、材料供給管１１１０を通じて第二の二色性微粒材の輸送部１１５０に送入されて、第三の二色性微粒材料の輸送部１１６０を通じて二色性微粒材料の貯蔵部１１７０に流入する。二色性微粒の第二の色素材は、材料供給管１１４０を通じて送入され、二色性微粒材料の第二の輸送部１１２０を通じて二色性微粒材の貯蔵部１１３０に流入する。次いで、二色性微粒材料は、二色性微粒材料貯蔵部１１３０，１１７０から材料供給管１１１０，１１４０内の圧力とスピニング（回転）ディスク１２００の遠心力とによって外方に押し出されディスク１２００の表面に沿って流れて二色性微粒１１９０を形成するに至る。二色性微粒材料がディスク１２００に送り込まれて二色性微粒を創り出す速度は二色性微粒材料供給管１１１０，１１４０内で二色性微粒材料に加えられる圧力の量によって制御される。
【０００６】
スピニング（回転生成）部１１８０の内部において、二色性微粒材料の一つの色素材は、二色性微粒材料の輸送部１１２０，１１５０内の二色性微粒材料の他の色素材からＯリング１２１０，１２１１，１２１２，１２１３の一つまたはそれ以上によって隔離されている。一個またはそれ以上のＯリング１２１０が非回転の二色性微粒材料送入部１２２０と回転部１１８０間のシールを形成し、一方、他のＯリングは静止していて回転部を密閉しない。
【０００７】
本発明は二色性微粒作成装置及び実施がより簡単な方法を提供する。
【０００８】
本発明は二色性微粒作成装置及びより高速度で実施し得る方法を別個に提供する。
【０００９】
本発明は二色性微粒作成装置及びスピナの速度により大きな制御を及ぼす方法を別個に提供する。
【００１０】
本発明は二色性微粒作成装置及び二色性微粒のより高い作成量を与える方法を別個に提供する。
【００１１】
【課題を解決するための手段】
本発明に係る二色性微粒作成装置は、二色性微粒を作成する装置であって、回転するディスクと、前記ディスクの第一の側に配置され、第一の二色性微粒材料を該ディスクの第一の側へ供給する第一の材料供給構造と、前記ディスクの第二の側に配置され、第二の二色性微粒材料を該ディスクの第二の側へ第二の方向から供給する第二の材料供給構造と、前記ディスクを回転するモータと、第一のハウジングと、第二のハウジングと、前記ディスクと前記第一のハウジングによって規定される第一のスリットと、前記ディスクと前記第二のハウジングによって規定される第二のスリットと、前記ディスクの第一の側、前記第一のハウジング及び前記第一の材料供給構造によって規定され、前記第一の材料供給構造から前記第一のスリットへ供給される前記第一の二色性微粒材料を貯蔵する第一の貯蔵部と、前記ディスクの第二の側、前記第二のハウジング及び前記第二の材料供給構造によって規定され、前記第二の材料供給構造から前記第二のスリットへ供給される前記第二の二色性微粒材料を貯蔵する第二の貯蔵部とを有し、前記第一及び第二の貯蔵部の内面形態を、前記第一及び第二の材料供給構造から前記第一及び第二のスリットへ向けて狭くなるよう形成することを特徴とする。
また、前記第一又は第二のスリットの少なくとも一方の大きさを調節する調節機構を有することを特徴とする。
また、前記第一のスリット及び前記第二のスリットは、それぞれ調節可能に設けられ、前記第一又は第二のスリットの少なくとも一方の大きさを調節する調節機構を有することを特徴とする。
【００１２】
本発明の一つ或いはそれ以上の種々の特徴ならびに利点は、ディスクの相反する両面から二色性微粒の材料を送り込み、装置内部の幾何学的形態を改変し、且つ、二色性微粒の材料送入スリットの形を制御して整えることによって実現される。
【００１３】
本発明に係る二色性微粒作成装置の種々の典型的な実施の形態において、二色性微粒作成装置は回転するディスク、第一の二色性微粒原料をディスクの第一側へ第一の方向から供給する第一の原料供給チューブ、第二の二色性微粒原料をディスクの第二側へ第二の方向から供給する第二の材料供給チューブ、及びディスクを回転するモータとを有する。二色性微粒作成装置はディスクと第一のハウジングによって規定される第一のスリットと、及び／或いはディスクと第二のハウジングによって規定される第二のスリットとを含んでもよい。種々の典型的な実施の形態において、第一と第二のスリットは各々約０．０４５インチ（０．１１４３ｃｍ）の長さと約０．００２５インチ（０．０６３５ｃｍ）の高さを持ち、回転の中心から０．７７５インチ（１．９６８５ｃｍ）の距離まで延びている。
【００１４】
種々の典型的な実施の形態において、該装置はディスク、第一のハウジング、第一のスリット及び第一の材料送り込みチューブによって規定される第一の貯蔵部、ならびにディスク、第二のハウジング、第二のスリット及び第二の材料送り込みチューブによって規定される第二の貯蔵部を含んでもよい。種々の典型的な実施の形態において、該ディスクは一分間に約１８００回転から約５６００回転の速度で回転する。
【００１５】
本発明のこれら及び他の特徴と利点は典型的な実施の形態についての以下の詳細な説明ならびに図面に記述されており、且つ、それらから明らかである。
【００１６】
【発明の実施の形態】
本発明の種々の典型的な実施の形態は以下の図面を参照して説明されており、同じ数字は同じエレメント（部品）を表す。
【００１７】
図３は本発明に係る二色性微粒作成装置５００の第一の典型的な実施の形態を示す。図３に示すように、二色性微粒作成装置５００は、スピナ（回転盤）５７０、ロータ５８０、一本またはそれ以上の二色性材料供給管５１０，５４０、一つまたはそれ以上の二色性微粒材料輸送部５２０，５５０、一つまたはそれ以上の二色性微粒材料貯蔵部５３０，５６０、及び一つまたはそれ以上の二色性微粒材料スリット５３５，５６５とを備えている。
【００１８】
二色性微粒材料の第一の色素材は、第一の二色性微粒材料供給管５１０を通じて第一の二色性微粒材料輸送部５２０内に、次いで第一の二色性微粒材料貯蔵部５３０内に送り込まれる。二色性微粒材料の第二の色素材は、第二の二色性微粒材料供給管５４０を通じて第二の二色性微粒材料輸送部５５０内に、次いで第二の二色性微粒材料貯蔵部５６０内に送り込まれる。第一及び第二の二色性微粒材料貯蔵部５３０，５６０それぞれの内の二色性微粒材料は、次いでそれぞれ第一及び第二の二色性微粒材料スリット５３５，５６５を通じてスピナ５７０に沿った遠心力並びに供給管５１０，５４０内の圧力によって二色性微粒５９０を形成する。
【００１９】
このようにして、図３と４とに示される本発明に係る二色性微粒作成装置５００の第一の典型的な実施の形態において、二色性微粒材料輸送部５１０，５４０の何れの部分も回転するスピナ（回転板）５７０の部分としては形成されておらず、或いはそれに接触さえしていないので、従来型のスピナ１０００に使用されているＯリング１２００を用いる必要が排除されている。Ｏリング１２００は、Ｏリング１２００が従来型のスピナ１０００において振動を誘発して最大回転速度に制限を加えるので、また、Ｏリング及びＯリングのはまる溝は着色された二色性微粒材料の研磨性によって激しく損傷されるので従来型のスピナ１０００において不都合な点である。
【００２０】
これに加えて、種々の典型的な実施の形態において、二色性微粒材料輸送部５１０，５４０とスピナ５７０との間に接触がないことは、遠心力が二色性微粒材料を二色性微粒材料スリット５３５，５６５に供給する速度の決定因子となることを可能にしている。以下に説明するように、二色性微粒材料スリット５３５，５６５は、二色性微粒材料貯蔵部５３０，５６０からの二色性微粒材料の流出を制限することが出来、このようにして、スピナ５７０の回転速度ならびにその結果二色性微粒材料貯蔵部５３０，５６０内の二色性微粒材料に加えられる遠心力に依存して、あわせて二色性微粒材の二色性微粒材料輸送部５２０，５５０を通じて二色性微粒材料貯蔵部５３０，５６０への流入速度を規制することが出来、二色性微粒材料貯蔵部５３０，５６０上の二色性微粒材料の量は所定の限度内に留められる。さらに以下に説明するように、二色性微粒材料貯蔵部５３０，５６０は、二色性微粒材料が二色性微粒材料輸送部５２０，５５０を通じて二色性微粒材料貯蔵部５３０，５６０への流入の不規則性を平滑にするために使用することが出来る。
【００２１】
種々の典型的な実施の形態において、二色性微粒材料輸送部５２０，５５０はある選択された流速範囲で作動するように設計されている。この流速範囲内で作動する間に、安定した量の二色性微粒材料が二色性微粒材料輸送部５２０，５５０を通じて二色性微粒材料貯蔵部５３０，５６０に流入する。二色性微粒材料輸送部５２０，５５０は、このようにして二色性微粒材料をスピナ（回転板）５７０にスピナ（回転板）５７０に接触する必要なしで送り届けることが出来、或いはそうではなく二色性微粒材料輸送部５２０，５５０の何れかの何らかの部分を二色性微粒材料作成装置５００の何らかの回転要素上に持つ必要もなく送り届けることが出来る。
【００２２】
図４は、図３に示された二色性微粒作成装置５００の第一の典型的な実施の形態の貯蔵部６００の一つの典型的な実施の形態をさらに詳細に示す断面図である。二色性微粒作成装置５００の貯蔵部６００は、二色性微粒材料輸送部６１０と、二色性微粒材料貯蔵部６２０と、スピナ５７０の一部分６７０の上側に形成されたスリット６３０と、二色性微粒材料貯蔵部６２０ならびに二色性微粒材料のスリット６３０を形成するために用いられるハウジングの一部６９０とを含む。
【００２３】
二色性微粒材料が二色性微粒材料輸送部６１０を選択された流速で上から送り込まれるにつれて、二色性微粒材料は二色性微粒材料貯蔵部６２０内に集まる。二色性微粒材料貯蔵部６２０内の二色性微粒材料中にスピナ５７０の回転速度によって強められた遠心的圧力によって、二色性微粒材料は二色性微粒材料貯蔵部６２０からスリット６３０を通じ、スピナ５７０の部分６７０に沿って強制的に押し出される。上に概説したように、二色性微粒材料スリット６３０についての如何なる所定の寸法に対してもスピナ５７０の部分６７０の回転速度は二色性微粒材料が二色性微粒材料貯蔵部６２０から流出する速度を制御し、そのようにして二色性微粒材料作成装置５００によって作成される二色性微粒５９０の大きさ、質、量を調整する。
【００２４】
二色性微粒材料スリット６３０は、二色性微粒材料スリット６３０の上流側（即ち、二色性微粒材料輸送部６１０の方向）及び下流側（即ち、スピナ５７０の先端方向）の両方の側で大気圧をかけられる。従って、二色性微粒作成装置５００においては、二色性微粒材料は単にスピナ５７０の回転速度によって発生する遠心的圧力をかけられるのみである。一端、二色性微粒材料貯蔵部内の二色性微粒材料がスピナ５７０の部分６７０の表面に接触すると、二色性微粒材料は二色性微粒材料貯蔵部６２０の外方へ放射状に二色性微粒材料スリット６３０の方向に加速される。
【００２５】
二色性微粒材料スリット６３０によってもたらされる高い流動制限のために、ここでは二色性微粒材料スリット６３０によって発生する流動抵抗はスリットの長さと間隙の関数であるが、二色性微粒材料は二色性微粒材料貯蔵部６２０内に集まり始め、流動抵抗による二色性微粒材料スリット６３０面での圧力低下と二色性微粒材料の増量のための二色性微粒材料に印加される遠心力による増加圧力の間に平衡が達成されるまで常時移動する自由表面６８０を二色性微粒材料貯蔵部６２０内に創り出す。一端、平衡が達成されると、二色性微粒材料は二色性微粒材料貯蔵部６２０から二色性微粒材料スリット６３０を通じて運び込まれる二色性微粒材料の量に等しい一定の流速で流出する、即ち、二色性微粒材料輸送部６１０から二色性微粒材料貯蔵部６２０へ二色性微粒材料の選択された流速で流出する。
【００２６】
この状態は流入速度が選択された流速の範囲内にある限り維持される。二色性微粒材料の自由表面６８０は、二色性微粒材料貯蔵部６２０から二色性微粒材料スリット６３０を通じて流出する二色性微粒材料と、二色性微粒材料輸送部６１０から二色性微粒材料貯蔵部６２０へ流入する二色性微粒材料との間に平衡が達成されるために、常に二色性微粒材料貯蔵部６２０内を中心から放射方向に沿って移動する。換言すれば、スピナ（回転板）５７０の回転速度及び／或いは二色性微粒材料輸送部６１０からの二色性微粒材料の流入速度に変化があるとシステムの平衡を乱し、二色性微粒材料の自由表面６８０を新しい平衡に達するまで移動させる。
【００２７】
正常の操作範囲外では、二つの機能不全の形態が生じ得る。第一に、もし大過剰の二色性微粒材料が二色性微粒材料輸送部６１０から二色性微粒材料貯蔵部６２０へ送り込まれ、且つ、システムが新しい自由表面６８０を見出せないならば、二色性微粒材料は二色性微粒材料貯蔵部６２０を溢れさせることがあり得る。その結果、閉塞状態が起こることになる。
【００２８】
二色性微粒材料輸送部６１０が十分な二色性微粒材料を二色性微粒材料貯蔵部６２０へ供給出来ない場合には、別の機能不全の形態が起こり得る。このことは、二色性微粒作成装置６００を材料不足の状態にして二色性微粒材料貯蔵部６２０を空にしてしまう。この状態では、二色性微粒材料貯蔵部６２０内の自由表面６８０は決して得られない。その結果、二色性微粒材料は二色性微粒材料スリット６３０を通じてスピナ６７０の表面に均等に分配されることはなく、不完全形成の二色性微粒５９０を生じることになる。
【００２９】
要約すると、二色性微粒作成装置６００のハウジング６９０とスピナ６７０との間に形成される二色性微粒材料スリット６３０のスリットの長さ及び高さ間隙は、所望の操作範囲に対して特別に設計され得る設計のパラメータである。二色性微粒材料スリットにおける流動抵抗はこのようにして種々の典型的な実施の形態において貯蔵部効果を創り出す。
【００３０】
図４に示すように、種々の典型的な実施の形態において、ハウジング６９０は彎曲した表面を有し、これが二色性微粒材料貯蔵部６２０の一表面を形成している。その結果、一旦、二色性微粒作成装置５００の二色性微粒材料貯蔵部６２０の中に入ると、二色性微粒材料は彎曲した内面の形態を利用して二色性微粒材料貯蔵部６２０を通じて流れる。二色性微粒材料貯蔵部６２０の内面形態は、二色性微粒材料貯蔵部６２０を出て二色性微粒材料スリットを通じて流れる二色性微粒材料の所望の流速を達成するように調整及び／或いは選択または設計することが出来る。種々の典型的な実施の形態において、二色性微粒材料貯蔵部６２０の彎曲した内面形態は放物線状である。使用の際、放物線状の流路は二つの利点を提供する。第一に、放物線状の流路は二色性微粒材料貯蔵部６２０から二色性微粒材料スリット６３０に向かう二色性微粒材料を加速する傾向がある。第二に、放物線状の流路は二色性微粒材料が蓄積して二色性微粒材料貯蔵部６２０を詰らせ得るような尖った角を除去する傾向がある。
【００３１】
本発明に係る種々の典型的な実施の形態において、二色性微粒作成装置５００の彎曲した二色性微粒材料の流路は、従来型のスピナ１０００に使用されているさらに複雑な流路と比べて簡単である。これら典型的な実施の形態において、彎曲した流路は二色性微粒材料が二色性微粒材料の輸送部或いは貯蔵部６１０または６２０、或いは二色性微粒材料スリット６３０の何れかにおいて、例えば従来型のスピナ１０００に存在する二色性微粒材料の輸送部１２１０の屈曲部付近のようなところを詰らせる機会を軽減する。
【００３２】
種々の典型的な実施の形態において、二色性微粒材料貯蔵部６２０は、放物線状の形をしている。放物線状の形は二色性微粒材料貯蔵部６２０からスピナ５７０への二色性微粒材料の送り込みを向上させることが見いだされている。しかしながら、ハウジング６９０の内表面の他の形、例えば角度のついた及び／或いは多少彎曲した表面もまた本発明の趣旨あるいは範囲から逸脱することなく可能である。
【００３３】
一つの典型的な実施の形態において、スリットの長さ０．０４５インチ（０．１１４３ｃｍ）、スリットの間隙０．００２５インチ（０．０６３５ｃｍ）、回転中心から二色性微粒材料のスリット６３０の周縁まで０．７７５インチ（１．９６８５ｃｍ）の場合、スピナ６７０の回転速度に対する自由表面６８０の位置のプロットは図５に示すようになる。
【００３４】
このようにして、図５は、図４に示された二色性微粒作成装置５００の部分６００の典型的な実施の形態に対する中心軸からの自由表面位置６８０の、毎分の回転数で表した回転速度に対するグラフ８００を示したものである。二色性微粒材料輸送部６１０を通じて二色性微粒材料貯蔵室６２０内への二色性微粒材料の流量０．７５cc／秒に対して、この典型的な二色性微粒作成装置の自由表面６８０は曲線８１０で表される。図５に示すように、スピナ６２０の回転速度が約２０００rpmから約６７００rpmの間で変動する場合、自由表面６８０は、直線８３０で表される二色性微粒材料貯蔵部６２０の放射線の軸端内に留まり、そのようにして二色性微粒材料貯蔵部６２０は過剰に充填されることはなく、且つ、溢れることもない。同様に、自由表面６８０はまた、二色性微粒材料貯蔵室６２０の直線８２０で示される放射線の周縁の外側に留まり、そのようにして二色性微粒材料貯蔵部は空にはならない。このようにして、スピナ６２０の回転速度が約２０００rpmから約６７００rpmの間で変動する場合、二色性微粒材料は単にそれだけでないにしても主としてスピナ５７０の回転速度で決まるラディアン当りの容積の流速でスピナ５７０の末端に向かって流動する。
【００３５】
他の自由表面位置の曲線も、スピナ（回転板）５７０の回転速度、二色性微粒材料の二色性微粒材料貯蔵部６２０への流入速度、及び二色性微粒材料スリット６３０の大きさ次第で可能である。種々の典型的な実施の形態において、これらのパラメータの何れかまたは全ては本発明の意図及び範囲から逸脱することなく改変することが出来る。
【００３６】
このようにして、本発明に係わる二色性微粒作成装置の種々の典型的な実施の形態において、スピナ（回転板）５７０への二色性微粒の流速は主として遠心圧によって推進される。二色性微粒材料の流速を遠心圧によって推進することによって、二色性微粒材料輸送部５１０，５４０のような二色性微粒材料作成装置５００の二色性微粒材料供給部は、二色性微粒作成装置５００の回転部分から分離することが出来る。このことは、二色性微粒材料作成装置５００の二色性微粒材料供給部分と該二色性微粒材料作成装置の回転部分との間の如何なる物理的接触の必要性をも排除する結果となる。
【００３７】
対照的に、図１及び２に示される従来型の加圧送り込みシステムにおいて、二色性微粒作成装置１０００は、これら二つの部分間の物理的接触なしでは作動しない。また、本発明に係わる二色性微粒作成装置の内部の幾何学的構造は十分に強靭であって回転速度の僅かな変化を斟酌して二色性微粒作成装置５００の作業に不都合な影響を与えることがない。換言すれば、二色性微粒材料貯蔵部５２０、５５０ 及び／或いは６２０は、二色性微粒材料の容積を連続的に自己調整してスピナ（回転板）５７０の回転速度の些少の変化がスピナ（回転板）５７０への二色性微粒材料の流速に不都合な影響を与えないようにしている。また、二色性微粒材料貯蔵部５２０、５５０ 及び／或いは６２０の容積が十分に大きければ、二色性微粒材料輸送部５１０、５４０及び／或いは６１０によって供給される二色性微粒材料の量の不一致による流速のいかなる変化も時が経つにつれて平均されて流速変化の大きさを軽減し、即ち、スピナ（回転板）５７０へ通じるこれらの変化を取り除く。
【００３８】
図６は、本発明に係わる二色性微粒作成装置７００の第二の典型的な実施の形態を示す。二色性微粒作成装置７００は、二色性微粒材料供給部７１０、多数の二色性微粒材料貯蔵部７２０，７４０、多数の二色性微粒材料スリット７３０，７５０、第一のハウジング７６０及び第二のハウジング７８０ならびに捻子７９０を含む。スリット７３０は、スピナ７７０と第一のハウジング７６０の第一の外側ハウジング（枠）７６８とによって規定されている。同様に、スリット７５０は、スピナ７７０と第二のハウジング７８０の第二の外側ハウジング７８８とによって規定されている。二色性微粒材料貯蔵部７２０は、内部枠７６２、第一のハウジング７６０の外側ハウジング７６８及びスピナ７７０とによって形成されている。同様に、二色性微粒材料貯蔵部７４０は、内部枠７８２、第二のハウジング７８０の外側ハウジング７８８及びスピナ７７０とによって形成されている。各外側ハウジング７６８，７８８は、それぞれ線条(threads)７６４，７８４を持ち、これらはそれぞれ内側のハウジング７６２，７８２と噛み合っている。
【００３９】
図７に示すように、内側のハウジング７６２，７８２は円形の内側のハウジング７６２，７８２の周辺を取り巻いて分布している梁或いは支柱７６６，７８６によって支えられている。捻子７９０は内側のハウジング７６２と、一対の支柱７６６，７８６と、スピナ７７０とを通じて内側のハウジング７８２にまで通っている。
【００４０】
スリット７３０は、外側のハウジング７６８を上方のハウジング７６２に対して回すことによって調節することが出来る。同様に、スリット７５０は、外側のハウジング７８８を内側のハウジング７８２に対して回すことによって調節することが出来る。
【００４１】
上に言及したように、二色性微粒材料貯蔵部７２０，７４０内の二色性微粒材料の自由表面の位置は、それぞれ二色性微粒材料スリット７３０，７５０によってもたらされる流動抵抗によって制御され、また、二色性微粒材料の流体特質、ディスク７７０の回転速度、及び二色性微粒材料供給部７１０，７１５を通じて送り込まれる二色性微粒材料の量によって変動する。それ故、材質或いは回転速度における如何なる変化も本発明に係わる二色性微粒作成装置５００，７００内に故障モードを引き起こしかねない。しかしながら、二色性微粒作成装置７００のこの第二の典型的な実施の形態において二色性微粒材料スリット７３０は、外側のハウジング７６８を内側のハウジング７６２に対して回すことによって調節して、外側のハウジング７６８を上下に動かし二色性微粒作成装置７００の二色性微粒材料スリット７３０の垂直の大きさを増減することが出来る。
【００４２】
このことは、二色性微粒材料のスリット７５０に対する如何なる調節からも独立して行うことが出来る。該二色性微粒材料のスリットは、それ自身外側のハウジング７８８を内側のハウジング７８２に対して回すことによって調節され、外側のハウジング７８８は、上下に動いて二色性微粒材料スリット７５０の垂直のサイズを大きくまたは小さくする。このようにして、図６及び図７に示される二色性微粒作成装置７００の第二の典型的な実施の形態において、該二色性微粒材料スリット７３０，７５０は、互いに独立して調節することが出来、異なる粘度を持つ二色性微粒材料を斟酌し、且つ、二色性微粒材料貯蔵部７２０及び／或いは７４０が溢れたり、または配分されない二色性微粒材料、或いは二色性微粒材料内の大きな繊維によって詰まるような恐れを軽減する。
【００４３】
図６及び図７に示されている二色性微粒材料作成装置の第二の典型的な実施の形態は、内側ならび外側のハウジング７６２，７６８，７８２，７８８に形成される線条用のミクロメータに使用されている同じタイプの線条システムを用いることが出来る。二色性微粒材料作成装置の第二の典型的な実施の形態は、頂部及び底部のハウジング７６０，７８０のそれぞれに対して二部からなる構造を用いることが出来る。一部は内側のハウジング７６２，７８２の内部の結合構造の大部分を形成する。この場合、内側のハウジング７６２或いは７８２は、一連の搭載台７６６、７８６及びボルト７９０によってスピナ７７０に恒久的に搭載されている。外側のハウジング７６８，７８８は、内側のハウジング７６２，７８２に各ハウジング７６２，７６８，７８２，７８８上にある線条７６４或いは７８６によって付着することが出来る。外側のハウジング７６８或いは７８８を内側のハウジング７６２或いは７８２に対して回すことによって、二色性微粒材料スリット７３０或いは７５０は、外側のハウジング７６８或いは７８８が内側のハウジング７６２或いは７８２に対して何れの方向に回されたかに依存して忠実に開きまたは閉じる。二色性微粒材料作成装置の第二の典型的な実施の形態において、二色性微粒材料スリット７３０，７５０のスリットの大きさを示すために目盛りマークを内側のハウジング７６２，７８２上に、参照点を外側のハウジング７６８，７８８上に使用することが出来る。
【００４４】
種々の実施の形態において、内側のハウジング７６２，７８２及び外側のハウジング７６８，７８８は、操作中に高温に遭遇するため熱安定性の材料から機械加工される。しかしながら、他の材料を使用してもよい。
【００４５】
二色性微粒材料作成装置の第二の典型的な実施の形態は、内側のハウジング７６２，７８２及び外側のハウジング７６８，７８８の間の界面に形成された線条７６４，７８４を以って示されている。しかしながら、調節用の線条は他の典型的な実施の形態においては他の領域に配置することが出来る。
【００４６】
図６及び図７に示されている二色性微粒材料作成装置の第二の典型的な実施の形態における調節機構は、内側及び外側の各ハウジング７６２，７６８及び７８２，７８８上に形成された線条７６４，７８４とをそれぞれ使用しているが、二色性微粒材料スリット７３０と７５０との大きさを調節するために使用し得る如何なる他の既知の或いは以後開発される、仕掛け、構築物または装置でも用いることが出来る。
【００４７】
本発明はその特定の実施の形態に関連して説明されて来たが、多くの代案、改変ならびに変更が当事者に明らかなことは言うまでもない。例えば、二色性微粒材料は二つの異なった色の二色性微粒材料として述べられて来たが、同色ではあるが異なった性質の二色性微粒材料に置換されてもよい。従って、本出願に示されているような本発明の好ましい実施の諸形態は説明のためでありこれらに制限されるものではない。
【図面の簡単な説明】
【図１】  二色性微粒を示した図である。
【図２】  従来型のスピナの典型的な断面図である。
【図３】  本発明に係る二色性微粒作成装置の第一の典型的な実施の形態の断面図である。
【図４】  図３の二色性微粒作成装置の断面図であって、二色性微粒材料の貯蔵部の典型的な実施の形態をさらに詳細に示した図である。
【図５】  本発明に係る二色性微粒作成装置内の毎分の回転数に対する自由表面の位置を示すグラフを示した図である。
【図６】  本発明に係る二色性微粒作成装置の第二の実施の形態の断面図である。
【図７】  図６の二色性微粒作成装置の部分平面図である。
【符号の説明】
５００，７００  二色性微粒作成装置、５１０，５４０  二色性材料供給管、５２０，５５０，６１０  二色性微粒材料輸送部、５３０，５６０，６２０，７２０，７４０  二色性微粒材料貯蔵部、５３５，５６５，７３０，７５０  二色性微粒材料スリット、５７０，７７０  スピナ（回転盤）、５８０  ロータ、５９０  二色性微粒、６００  貯蔵部、６３０，７３０  スリット、６７０  スピナの一部分、６８０  自由表面、６９０  ハウジングの一部、７１０，７１５  二色性微粒材料供給部、７６０  第一のハウジング、７６２，７８２  内部枠、７６６，７８６  支柱、７６８  第一の外側ハウジング（枠）、７８０  第二のハウジング、７８８  第二の外側ハウジング、７９０  捻子。
【図１】
0004308466.tif 000002
【図２】
0004308466.tif 000003
【図３】
0004308466.tif 000004
【図４】
0004308466.tif 000005
【図５】
0004308466.tif 000006
【図６】
0004308466.tif 000007
【図７】
0004308466.tif 000008